(57)【要約】【課題】乾燥を短時間で行うことでエネルギーの消費を抑えて生ごみの減量及び減容を行い、且つごみの取り出しと洗浄が安全で容易にできる生ごみ処理機を提供する。【解決手段】多穿孔もしくは網のバケットと排水口を設けたバケットの収納容器及びバケットを回転させる穿孔のプーリーと回転シャフトを介して回転し、昇降する切刃と駆動モータＭ１．Ｍ２．Ｍ３を取り付け、昇降センサーを設けるとともに水溶液タンクとヒーター、送風機を施した送風ダクトを固着した蓋並びに収納容器の台座と蓋を着脱できるように施した蓋支持壁もしくは支柱を組合せた設置台の構成からなる生ごみ処理機。【選択図】  図２
2004188313.tif 000002
【特許請求の範囲】
【請求項１】
多穿孔もしくは網のバケットと排水口を設けた該バケットの収納容器及び歯車（Ｇ１）を介して該バケットを回転させるプーリーと歯車（Ｇ２．Ｇ３）、回転シャフトを介して回転し、かつ歯車（Ｇ４．Ｇ５）、ピニオンギアを介して昇降する切刃と前記歯車の駆動モータ（Ｍ１．Ｍ２．Ｍ３）を取り付け、昇降センサーを設けた蓋並びに前記収納容器の台座と蓋の着脱ができるように施した蓋支持壁もしくは支柱を組合せた設置台からなる生ごみ処理機。
【請求項２】
バケットの底部中心にセンター受を設け、収納容器の底部中心にセンターポイントと排水口に対して下り勾配を施し、キャッチボタンを施した取っ手を外側面に設け、蓋の頂部に給水口を側面に吸気口を設けるとともに、内部に電磁弁で結節したホースとパイプを下部に設けた水溶液タンク及びヒーターと送風機を施した送風ダクトを固着し、プーリーに１つないし複数の孔と切刃の収容スペースを施した請求項１の生ごみ処理機。
【発明の詳細な説明】
【０００１】
【発明が属する技術分野】
本発明は、生ごみを切断して脱水と乾燥を行う生ごみ処理機に関する。
【０００２】
【従来の技術】
従来の生ごみ処理機には、乾燥機能及び攪拌機能を装備したものがある。そして、これらの生ごみ処理機は温風乾燥することで生ごみの減量を図り、攪拌することで有機分解の促進を図るとするものである。（非特許文献１）
【０００３】
【非特許文献１】
株式会社日立製作所  家庭用電気生ごみ処理機  総合カタログ２００２年３月
【０００４】
【発明が解決しようとする課題】
しかし、従来の生ごみ処理機にあっては、水分の多い生ごみを短時間で乾燥するには高温処理を必要とし、低温処理を行うと乾燥に長時間を要すこととなる。
何れの場合も多くのエネルギーを消費することに問題がある。そして、乾燥による水分の減量はできるものの減容には不充分であることに問題がある。また、攪拌機能については、生ごみを入れる容器側に固定して設けられているため、ごみの取り出し及び洗浄に支障となる点に問題がある。
【０００５】
本発明は、乾燥を短時間に行うことでエネルギーの消費を抑えるとともに生ごみの減量及び減容を行い、且つごみの取り出しと洗浄が安全で容易にできる生ごみ処理機の提供を目的とする。
【０００６】
【課題を解決するための手段】
本発明は上記課題を解決するため、多穿孔もしくは網のバケットと排水口を設けた該バケットの収納容器及び歯車Ｇ１を介して該バケットを回転させるプーリーと歯車Ｇ２．Ｇ３、回転シャフトを介して回転し、かつ歯車Ｇ４．Ｇ５、ピニオンギアを介して昇降する切刃と前記歯車の駆動モータＭ１．Ｍ２．Ｍ３を取り付け、昇降センサーを設けた蓋並びに前記収納容器の台座と蓋の着脱ができるように施した蓋支持壁もしくは支柱を組合せた設置台の構成からなる生ごみ処理機とする。
【０００７】
また、上記構成の生ごみ処理機において、バケットの底部中心にセンター受を設け、収納容器の底部中心にセンターポイントと排水口に対して下り勾配を施し、キャッチボタンを施した取っ手を外側面に設け、蓋の頂部に給水口を側面に吸気口を設けるとともに、内部に電磁弁で結節したホースとパイプを下部に設けた水溶液タンク及びヒーターと送風機を施した送風ダクトを固着し、プーリーに１つないし複数の孔と切刃の収容スペースを施すことでより良い生ごみ処理機となる。
【０００８】
【実施の形態】
以下、本発明の実施の形態として一実施例を図１〜図５に基づき説明する。
図１において、バケットＡ３は多穿孔を施している。該バケットを収納する収納容器Ａ２には排水口Ｄ４を設けるとともにキャッチボタンＴ２を施した取っ手Ｔ１を外側面に設けている。該収納容器の蓋Ａ１の頂部には給水口Ｄ６設け、側面には駆動モータの操作ボタンＢ２を設けている。そして、収納容器の台座Ｚ１と蓋の着脱ができるように施した蓋支持壁Ｚ２を組合せて設置台としている。
【０００９】
図２において、プーリーＰ１をバケットＡ３の内側に密着させて蓋としている。そして、プーリーＰ１は駆動モータＭ１の回転軸に固着した歯車Ｇ１を介して該バケットとともに回転する。回転シャフトＫ２の先端に取り付けた切刃Ｋ１を駆動モータＭ２の回転軸に固着した歯車Ｇ２と歯車Ｇ３を介して回転するようにしている。
【００１０】
図３において、前記切刃Ｋ１は駆動モータＭ３の回転軸に固着した歯車Ｇ４と歯車Ｇ５及びピニオンギアＧ６を介して昇降させ、昇降を切り替える昇降センサーＳ１．Ｓ２を取り付けている。
【００１１】
図４において、バケットＡ３の底部中心にセンター受Ｕ１を設け、収納容器Ａ２の底部中心にセンターポイントＵ２と排水口Ｄ４に対して下り勾配を施している。
【００１２】
蓋Ａ１の頂部に給水口Ｄ６を施し、内部に電磁弁Ｄ１で結節したホースＤ２とパイプＤ３を下部に設けた水溶液タンクＤ５を固着している。また、該ホースは回転シャフトＫ２に沿ってプーリーＰ１まで配設する。
【００１３】
蓋Ａ１の側面に吸気口Ｈ４を設け、内部にヒーターＨ１と送風機Ｈ３を施した送風ダクトＨ２を固着している。また、プーリーＰ１には複数の孔を施すとともに切刃Ｋ１の収容スペースを施している。
【００１４】
図５において、駆動モータＭ１．Ｍ２．Ｍ３の取り付け盤を回転シャフトＫ２の軸受けパイプから蓋Ａ１の側面に向けて放射状に３枚設けている。駆動モータＭ１の回転軸に固着した歯車Ｇ１はプーリーＰ１を回転させる。また、駆動モータＭ２の回転軸に固着した歯車Ｇ２は歯車Ｇ３を介して回転シャフトを回転させる。そして、駆動モータＭ３の回転軸に固着した歯車Ｇ４は歯車Ｇ５を介してピニオンギアＧ６を回転させて回転シャフトＫ２を昇降させている。
【００１５】
【発明の効果】
本発明は、以上説明したように構成されているので、次のような効果を得ることができる。
【００１６】
回転シャフトの先端に取り付けた切刃が回転して昇降を反復することで、バケット内の生ごみは切断されて内包する水分は流出し、固形物も小さくなるため減容の効果がある。
【００１７】
また、プーリーを介して回転するバケットの底部中心にセンター受と収納容器の底部中心にセンターポイントを設けたことで、バケットは軸振れなく回転して水分をより強制的に脱水することができるので、生ごみの減量が図れる。
【００１８】
そして、脱水されたバケット内の生ごみに送風ダクトからの温風をプーリーの穿孔を通して当てるとともに、切刃の回転と昇降動作が生ごみを攪拌することで、乾燥が短時間に行われエネルギーの消費を抑えることができる。
【００１９】
さらに、生ごみの処理にあたっては切刃をプーリーに接して収納し、蓋を引き上げて収納容器を台座から取り出して行うことで安全かつ容易に行うことができるとともに切刃の洗浄あたっては、切刃を回転させている状態で水溶液タンクの水溶液によって安全に洗浄することができる。
【図面の簡単な説明】
【図１】本発明の一実施例を示す生ごみ処理機の外観図
【図２】同プーリー、切刃取り付けの縦断面図
【図３】同歯車、昇降センサー取り付けの縦断面図
【図４】同送風ダクト、水溶液タンク固着の縦断面図
【図５】同歯車、回転シャフト固着の横断面図
【符号の説明】
Ａ１  蓋
Ａ２  収納容器
Ｂ２  スイッチ
Ｄ１  電磁弁
Ｄ２  ホース
Ｄ３  パイプ
Ｄ４  排水口
Ｄ５  水溶液タンク
Ｄ６  給水口
Ｇ１，Ｇ２，Ｇ３，Ｇ４，Ｇ５  歯車
Ｇ６  ピニオンギア
Ｈ１  ヒーター
Ｈ２  送風ダクト
Ｈ３  送風機
Ｈ４  吸気口
Ｋ１  切刃
Ｋ２  回転シャフト
Ｍ１，Ｍ２，Ｍ３  モータ
Ｐ１  プーリー
Ｓ１，Ｓ２  昇降センサー
Ｔ１  取っ手
Ｔ２  キャッチボタン
Ｕ１  センター受
Ｕ２  センターポイント
Ｚ１  台座
Ｚ２  蓋支持壁
【図１】
2004188313.tif 000003
【図２】
2004188313.tif 000004
【図３】
2004188313.tif 000005
【図４】
2004188313.tif 000006
【図５】
2004188313.tif 000007